(57)【要約】【課題】  本発明は、生産物に付与されるＩＣタグなどの情報記録媒体を利用し、農産物や水産物等の生産物に関する情報の記録を容易とし、かつその記録する際の正当性を確保する管理情報の存在に基づき、情報の記録を行う生産物情報登録システムを提供することを目的とする。【解決手段】  管理情報を読出し可能に記録してなる管理情報記録媒体と、生産物に関連する情報を生成する生産物情報生成手段、生産物に関連する情報を前記情報記録媒体に記録する情報記録読み出し手段、情報記録媒体と前記管理情報記録媒体を検知する検知手段を有する生産物情報生成装置とを備え、生産物情報生成手段により生産物に関連する情報を生成し、検知手段により情報記録媒体と管理情報記録媒体の両方を検知した後に当該情報を情報記録読み出し手段により情報記録媒体に記録することを特徴とする生産物情報登録システムである。【選択図】図２
2005250532.tif 000002
【特許請求の範囲】
【請求項１】
生産物に付与され、当該生産物に関連する情報を読み出し可能に記録する情報記録媒体と、
管理情報を読出し可能に記録してなる管理情報記録媒体と、
生産物に関連する情報を生成する生産物情報生成手段、生産物に関連する情報を前記情報記録媒体に記録する情報記録読み出し手段、前記情報記録媒体と前記管理情報記録媒体を検知する検知手段を有する生産物情報生成装置と、
を備えてなり、
前記生産物情報生成手段により生産物に関連する情報を生成し、前記検知手段により情報記録媒体と管理情報記録媒体の両方を検知した後に当該情報を前記情報記録読み出し手段により前記情報記録媒体に記録することを特徴とする生産物情報登録システム。
【請求項２】
生産物に付与され、当該生産物に関連する情報を読み出し可能に記録する情報記録媒体と、
管理情報を読出し可能に記録してなる管理情報記録媒体と、
生産物に関連する情報を生成する生産物情報生成手段、生産物情報を前記情報記録媒体に記録する情報記録読み出し手段、前記情報記録媒体と前記管理情報記録媒体を検知する検知手段を有する生産物情報生成装置と、
生産物情報を外部に送信する送信手段を有する生産物情報生成装置とネットワークを介して接続される情報管理サーバと、
を備えてなり、
前記生産物情報生成手段により生産物に関連する情報を生成し、前記検知手段により情報記録媒体と管理情報記録媒体の両方を検知した後に当該情報を前記情報記録読み出し手段により前記情報記録媒体に記録又は／及び前記送信手段により前記情報管理サーバに送信してなることを特徴とする生産物情報登録システム。
【請求項３】
前記情報記録媒体に記録される情報が、生産物に関連する情報及び管理情報であることを特徴とする請求項1または２に記載の生産物情報登録システム。
【請求項４】
前記検知手段は、前記情報記録媒体及び前記管理情報記録媒体にそれぞれ記録されている媒体に固有の情報を読み取り、対応情報と照合確認することを特徴とする請求項1または２に記載の生産物情報登録システム。
【請求項５】
前記生産物情報生成手段は、生産物の重量の計量手段であることを特徴とする請求項1または２に記載の生産物情報登録システム。
【請求項６】
前記情報記録媒体及び前記管理情報記録媒体は、外部との非接触による通信手段と、該通信手段を介して記録又は読み出しを行うＩＣチップとを有するＩＣ記録媒体であることを特徴とする請求項1または２に記載の生産物情報登録システム。
【請求項７】
前記ＩＣチップには、前記検知手段により識別可能な固有ＩＤ情報が記録されてなることを特徴とする請求項６に記載の生産物情報登録システム。
【請求項８】
前記送信手段により前記情報管理サーバに送信される情報は、前記情報記録媒体の固有ＩＤ情報を含み、当該固有ＩＤ情報に基づき、前記情報管理サーバとネットワーク接続された情報端末から前記情報を読み出し可能であることを特徴とする請求項２に記載の生産物情報登録システム。
【発明の詳細な説明】
【技術分野】
【０００１】
本発明は、農産物や水産物などの生産物を市場に出荷し、流通ルートに載せる際に、当該生産物の各商品に関連する情報のうち、商品の個体情報となる情報を商品毎に情報記録媒体に記録する生産物情報登録システムに関する。
【背景技術】
【０００２】
近年、消費者が食品に関する情報を積極的に求めるようになり、素材の由来（品種、産地や生産者の関与内容など）や流通過程（流通環境や流通業者の関与内容など）等の食品の履歴情報を食の安全性を示す情報として重要視する傾向にあることから、食品の履歴情報を小売店の店頭でどのように伝えるかが検討されてきた。とくに商品に付与された履歴情報が本当その商品のものであるか（不正な情報或いはすり替えられた情報）など、付与される情報が正確に伝えられるかが問題となっていた。これは、農産物や水産物などの生産物の流通システムに起因すると考えられる。
【０００３】
従来の生産物の流通システムは、生産者と消費者との間に多数の中間業者（数次の卸売り店や輸送会社等）が介在することから、農産物が消費者の手に渡る際には、当該生産物の個体情報が正確であるかを確認することは困難である。
【０００４】
生産物に関する情報は手書きによる伝票によるか、生産物の配送を管理するコンピュータに記録された配送された生産物の内容を伝達する程度であり、消費者だけでなく、小売業者等においても、このような個体情報を確認することは困難である。消費者が正確な生産物に関する個体情報を得るには、生産者が特定の流通経路や直販による流通経路など情報の流れが明確な限られたルートを取る必要があった。
【０００５】
このような、手法は極めて限られた地域や流通システムを利用できるところに限られ、現在の流通システムのような広域かつ、大規模で稼動するところでは、消費者などが生産物に関する個体情報を容易に入手する仕組みはなかった。
【０００６】
そこで、生産者や流通業者等の一部では、農産物、水産物、或いは加工食品、それらの原材料などの生産物の由来に関する情報を集め、その情報をデータベース等に記録、蓄積し、生産物に固有の識別番号となる情報を記録したバーコートやＩＣタグを貼付し、生産物に関する情報は、この識別番号を元に、インターネットを通じて公開されたホームページ上での閲覧、或いは小売店の店頭において、設置された情報端末から入手可能とするにより、情報の収集から提供までの手段を構築し、消費者の情報入手を容易としてきた（特許文献１）。
【０００７】
ところが、生産物に関する情報を付与することは、ＩＣタグの価格、データベースへの生産物の情報の入力や記録蓄積に膨大な手間とコストを要するため、実用化の障害となっている。また、個体毎に付与することも考えられているが、これらの情報に紐付けされる識別情報を有するバーコードやＩＣタグを用いても、識別番号の設定や情報の記録蓄積により多くの手間とコストを要することが予測されている。また生産物に付与される情報の偽造やすり替え、改竄などの悪意のある違法行為や、情報の取り間違えや記録漏れなどの作業上の単純な間違い行為を防止し、信頼性を高める工夫も求められている。
【０００８】
ＩＣタグも内蔵するＩＣチップに記録可能な不揮発性メモリを搭載し、情報の書き込みが可能な製品も登場しており、個体別に生産物の由来や流通に関する情報の記録も可能となってきている。手間やコストが条件を満たせば、個々の生産物の個体別情報として、より詳細な情報提供が可能となると言える。
【特許文献１】特開平１０−３０２１０５号公報  しかしながら、前述の情報の記録に際して、違法行為や間違い行為を防止する手段は、とくに考慮されているとは言えず、前述の広域かつ大規模な流通経路を通じて、生産物が取引される現状では、生産物に関する情報を低コストで記録し、かつ記録された情報の正当生を確保し生産物の信頼性を高めることが必要である。
【０００９】
そこで、本発明は上記の課題を解決すべくなされたものであり、生産物に付与されるＩＣタグなどの情報記録媒体を利用し、農産物や水産物等の生産物に関する情報を記録し、生産地から小売店までの流通における生産物に関する情報を読み出し可能としてなる生産物情報登録システムであり、とくに生産物に関する情報の記録を容易とし、かつその記録する際の正当性を確保する管理情報の存在に基づき、情報の記録を行う生産物情報登録システムを提供することを目的とする。
【発明の開示】
【課題を解決するための手段】
【００１０】
本発明はかかる課題を解決するものであり、請求項１に記載の発明は、生産物に付与され、当該生産物に関連する情報を読み出し可能に記録する情報記録媒体と、
管理情報を読出し可能に記録してなる管理情報記録媒体と、
生産物に関連する情報を生成する生産物情報生成手段、生産物に関連する情報を前記情報記録媒体に記録する情報記録読み出し手段、前記情報記録媒体と前記管理情報記録媒体を検知する検知手段を有する生産物情報生成装置と、
を備えてなり、
前記生産物情報生成手段により生産物に関連する情報を生成し、前記検知手段により情報記録媒体と管理情報記録媒体の両方を検知した後に当該情報を前記情報記録読み出し手段により前記情報記録媒体に記録することを特徴とする生産物情報登録システムである。
【００１１】
請求項２に記載の発明は、生産物に付与され、当該生産物に関連する情報を読み出し可能に記録する情報記録媒体と、
管理情報を読出し可能に記録してなる管理情報記録媒体と、
生産物に関連する情報を生成する生産物情報生成手段、生産物情報を前記情報記録媒体に記録する情報記録読み出し手段、前記情報記録媒体と前記管理情報記録媒体を検知する検知手段を有する生産物情報生成装置と、
生産物情報を外部に送信する送信手段を有する生産物情報生成装置とネットワークを介して接続される情報管理サーバと、
を備えてなり、
前記生産物情報生成手段により生産物に関連する情報を生成し、前記検知手段により情報記録媒体と管理情報記録媒体の両方を検知した後に当該情報を前記情報記録読み出し手段により前記情報記録媒体に記録又は／及び前記送信手段により前記情報管理サーバに送信してなることを特徴とする生産物情報登録システムである。
請求項３に記載の発明は、請求項１または２に記載の生産物情報登録システムにおいて、前記情報記録媒体に記録される情報が、生産物に関連する情報及び管理情報であることを特徴とする。
請求項４に記載の発明は、請求項１または２に記載の生産物情報登録システムにおいて、前記検知手段は、前記情報記録媒体及び前記管理情報記録媒体にそれぞれ記録されている媒体に固有の情報を読み取り、対応情報と照合確認することを特徴とする。
請求項５に記載の発明は、請求項１または２に記載の生産物情報登録システムにおいて、前記生産物情報生成手段は、生産物の重量の計量手段であることを特徴とする。
【００１２】
請求項６に記載の発明は、請求項１または２に記載の生産物情報登録システムにおいて、前記情報記録媒体及び前記管理情報記録媒体は、外部との非接触による通信手段と、該通信手段を介して記録又は読み出しを行うＩＣチップとを有するＩＣ記録媒体であることを特徴とする。
請求項７に記載の発明は、請求項６に記載の生産物情報登録システムにおいて、前記ＩＣチップには、前記検知手段により識別可能な固有ＩＤ情報が記録されてなることを特徴とする。
請求項８に記載の発明は、請求項２に記載の生産物情報登録システムにおいて、前記送信手段により前記情報管理サーバに送信される情報は、前記情報記録媒体の固有ＩＤ情報を含み、当該固有ＩＤ情報に基づき、前記情報管理サーバとネットワーク接続された情報端末から前記情報を読み出し可能であることを特徴とする。
【発明の効果】
【００１３】
本発明の構成によれば、農産物や水産物等の生産物の由来や流通過程の情報を管理情報による正当性を確保した上で、記録するため、広域、かつ大規模な流通経路の中でも、消費者や小売業者などは、正確な生産物情報を得ることができる。
【００１４】
また、記録される生産物に関連する情報のうち、重量の測定や記録に従来では人手による紙伝票への手書きとするところが多かったが、管理情報が正当であれば自動的な記録がなされるため、自動化を進めることができる。さらにその生産物に固有の情報とすることができ、他の情報と組み合わせることにより、固有の識別情報とすることも可能である。
【００１５】
また、情報記録媒体と情報管理サーバとの両方またいずれかに情報を記録することにより、ニ重の情報の保管や、情報管理サーバによる一元管理によって、各拠点における情報の読み出しや他の拠点からの情報の参照をすることもできる。
以下、具体的に説明する。
【発明を実施するための最良の形態】
【００１６】
図１は、本発明の生産物情報登録システムの一実施例である説明図であり、図２は、本発明の生産物情報登録システムのうち、生産地における生産物情報のひとつである重量の計測による情報記録を行う機能ブロック図であり、図3は、図2における生産物情報を記録する際のフローチャートであり、図4は、本発明の生産物情報登録システムの情報記録媒体及び管理情報記録媒体として使用されるＩＣタグの説明図であり、図５は、本発明の生産物情報登録システムで計量、情報記録媒体に記録される情報を表示する画面を表す説明図である。
【００１７】
ここでは、海で漁獲或いは養殖された魚、エビ、カニ、貝などの水産物に関する情報を本発明の生産物情報登録システムの説明に使用する。本発明は、これに限定されることなく、同様に農産物などの生産物の情報についても利用することができる。
【００１８】
図１では、獲られた魚を収納する箱１にはＩＣタグ２が付与されており、必要に応じて収納する魚の名称や産地、或いは商標（ブランド名）などの関連情報をＩＣタグ２或いは箱１のいずれかの箇所に表示される。ＩＣタグ２は、図４に示すように、情報の書き込み及び読み出しが可能なＩＣチップ２１と、ＩＣチップ２１に電気的に接続され、外部との通信を可能とするアンテナ２２が組み込まれており、紙基材やプラスチック等の樹脂材などにより覆われた構造を有しており、専用のリーダライタ４を用いて、情報の書き込みや読み出しが行われる。ＩＣチップ２１を予め書き込まれた情報のみを読み出す読み出し専用とする場合は、読み出し専用のリーダを用いることができる。ＩＣチップ２１には、少なくとも他のＩＣタグと識別可能な固有ＩＤ情報が記録されている。
【００１９】
ＩＣタグ２は箱１に貼付するため、裏面に粘着材を有するラベル状であり、その表面は上記の関連情報を印字することができる。
【００２０】
本発明の生産物情報登録システムでは、魚を得た生産者Ａが、魚を市場Ｂに搬入し、そこで魚が箱１に１匹ずつ入れられ、直ちに秤などの計量手段５により計量が行われる。魚の計量値の書き込み時に書き込みの権限を示す管理情報を有する管理用ＩＣタグ３を必要としており、この管理情報の認証が行われたのちに、魚の計量値をＩＣタグ２に専用のリーダライタ４を用いて書き込みを行う。ここでＩＣタグ２に書き込まれる情報としては、計量値、計量日時、計量作業者名などである。モニタ６などの表示手段により情報も目視表示させてもよい。この後、ＩＣタグ２には書き込まれた情報の読み出しや、流通経路において、新たな情報、例えば流通Ｃや小売Ｄにおいて、流通業者名や配送場所、配送日時などの流通情報を追記することができる。図1では、ＩＣタグ２が箱１に付されているため、小売Ｄにおいては、店頭への配列日時や切り身などの加工日時、消費期限などの小売情報を個々の商品には、目視情報とともにＩＣタグ２に記録された情報をバーコードで表示される。個々の商品に同様にＩＣタグを情報記録媒体として、バーコード等の代替として用いることは可能である。
【００２１】
なお、上記の情報はＩＣタグ２に書き込む他に通信回線７などでネットワーク接続された情報管理サーバ８に記録することで、情報の一元管理が可能であり、必要に応じて各拠点からの情報の閲覧ができる。とくに消費者にバーコードのみで情報提供する場合は、多くの情報は、ネットワーク接続された情報管理サーバ８から取得する。
【００２２】
管理用ＩＣタグ３は、ＩＣタグ２と構成は同じであり、計量値等の情報をＩＣタグ２に記録を可能とする管理情報が記録されており、必要に応じて、管理情報の暗号化などセキュリティを向上させることもできる。形状は特に限定されないが、カード形状、または携帯に優れたキーホルダー形状など、計量作業者が身に付け易く、また安易に放置できないような構造が望ましい。
【００２３】
なお、計量値等の情報をＩＣタグ２に記録する際に管理用ＩＣタグ３を検知させるためにどのように配置するかは自由であるが、計量手段５にＩＣタグ２が貼付された箱１を載せ、計量を行い、その場でＩＣタグ２に情報が記録されるように管理用ＩＣタグ３を作業者に持たせるように、管理用ＩＣタグ３とリーダライタ４との通信仕様を設定することができる。
【００２４】
生産物の重量は、生産地から消費地まで、鮮度が変わらなければ略一定であることから、市場を経て、流通される魚などの水産物や農産物の特定に有効であり、この重量を管理項目として利用する商品に本発明を利用することができる。
【００２５】
図２（ａ）は、本発明の第１の発明の生産物情報登録システムの機能を説明するものであり、ＩＣタグ２である情報記録媒体１１と、魚の計量を管理する作業者が保有するＩＣタグ３の管理情報記録媒体１２と、魚の重量を計測する秤などの計測手段である、生産物に関連する情報を生成する生産物情報生成手段１３と、ＩＣタグ２、ＩＣタグ３に記録されている情報の読み出しや新たな情報の書き込みを行うリーダライタ４である、生産物に関連する情報を情報記録媒体に記録読み出しを行う情報記録読み出し手段１４と、情報記録媒体１１と管理情報記録媒体１２を検知する検知手段１５を有する生産物情報生成装置１０とからある。検知手段１５は、情報記録読み出し手段１４により読み出される情報記録媒体１１と管理情報記録媒体１２に記録された固有情報の存在の確認、さらにはその正当性を認証する機能を有することも可能である。本実施例では、検知手段１５が情報記録読み出し手段１４を読み出しに利用しているが、検知手段１５が読み出し機能を備えた構成としてもよい。またセキュリティを高度にするために、少なくとも管理情報記録媒体１２に記録された固有情報を暗号化してもよく、その暗号化・復号化機能を検知手段１５に設けてもよい。
【００２６】
検知手段１５により情報記録媒体１１と管理情報記録媒体１２が検知され、正当性が認証された後に、生産物情報生成手段１３から得られた生産物情報である計量値は、情報記録媒体１１に記録される。このとき、前述のように計量値以外にも、生産物に関連する情報を併せて記録することができる。
【００２７】
なお、計量値等の情報を表示する手段を備えてもよく、図５に表示手段１６による画面表示の例を示す。計量値３０、日時３１、作業者名３２、待機、計量中、完了、エラーなどの操作状況を示すパイロットランプ３３、計量作業履歴３４などを表示する。この例に限定されることなく、本発明のシステムに必要な情報を表示することができる。
【００２８】
次に第2の発明は、図２（ｂ）に示されるように、上記の構成に加え、生産物情報を外部に送信する送信手段１７を有する生産物情報生成装置２０と、この生産物情報生成装置２０とネットワーク１８を介して接続される情報管理サーバ１９を備えてなり生産物情報生成手段１３により生産物に関連する情報を生成し、検知手段１５により情報記録媒体１１と管理情報記録媒体１２の両方を検知した後に、当該情報を情報記録読み出し手段１４により情報記録媒体に記録するとともに送信手段１７からネットワーク１８を介して情報管理サーバ１９に送信することができる。情報記録媒体１１には情報を記録することなく、情報管理サーバ１９のみに情報を記録することも可能である。市場Ａ以後は、各拠点（或いはその他の場所）から、ネットワーク１８を介して、情報管理サーバ１９にアクセスし、情報記録媒体１１が保有する固有ＩＤ情報を基に情報管理サーバに記録された生産物情報を得ることが可能である。
【００２９】
次に図３を用いて、生産物情報生成装置１０、２０における生産物情報の生成から情報記録媒体１１への書き込みまでの処理操作の流れを説明する。なお、本発明の処理フローチャートは一例であり、これに限定されることなく、他にも異なる処理操作を採用することができる。
【００３０】
生産物情報生成装置１０、２０は、電源（図示しない）が入れられると所定の初期化操作（図示しない）がなされ、異常が無い場合は、Ｓ１０１の待機状態となり、Ｓ１０２、Ｓ１０４では、それぞれ検知手段１５により計量箇所における情報記録媒体１１（ＩＣタグ２）、管理情報記録媒体１２（管理用ＩＣタグ３）の検知を行う。Ｓ１０１では管理情報記録媒体１２が計量前に置かれていないかを監視しており、管理情報記録媒体１２を検知した場合は、Ｓ１０３のエラー表示（エラーメッセージの表示、エラー警告音の発生）を行い、Ｓ１０４の検知手段１３による情報記録媒体１１、管理情報記録媒体１２の再度の検知を行い、検知しない場合は、Ｓ１０１の待機状態となり、検知手段１３による情報記録媒体１１、管理情報記録媒体１２が検知された場合は、再度Ｓ１０３のエラー表示を行う。
【００３１】
Ｓ１０５で、計量箇所における情報記録媒体１１を検知すると、計量する生産物が計量箇所に置かれたと判断し、Ｓ１０６で、生産物情報生成手段１３（秤などの計量手段５）により、計量を行い、図５に示すように表示手段計量値３０と計量した日時３１等の計量情報を表示するとともに情報記録読み出し手段１４にこれらの計量情報を出力する。
【００３２】
Ｓ１０７では、情報記録読み出し手段１４により情報を情報記録媒体１１に記録する際に、情報記録媒体１１の存在を検知し、情報記録媒体１１が存在しない場合は、Ｓ１００の待機状態に戻り、情報記録媒体１１が存在する場合は、Ｓ１０８で管理情報記録媒体１２の存在を検知する。管理情報記録媒体１２が存在しない場合は、Ｓ１０６の計量に戻りＳ１０７，Ｓ１０８を繰り返す。所定回数を越えた場合は、計量を中止し、Ｓ１０６に戻るようにしてもよい。
【００３３】
Ｓ１０８で管理情報記録媒体１１の存在が検知された場合は、Ｓ１０９において、情報記録読み出し手段１４により、情報記録媒体１１へ情報の書き込みが行われる。ここでは計量作業者名或いはコードが上記の計量情報とともに書き込まれ、図５に示す画面に表示される。なお、第２の発明においては、情報記録媒体１１への記録と共に送信手段１７への上記の情報を出力することができる。情報記録媒体１１への情報の書き込み、或いは送信手段１７への情報の出力が完了した場合に完了音を発生させる。
【００３４】
Ｓ１１０では、情報記録媒体１１の存在を検知し、情報記録媒体１１が存在しない場合は、Ｓ１０１の待機状態に戻り、情報記録媒体１１が存在する場合は、情報の書き込みが完了していないおそれがある場合は、Ｓ１０９において書き込まれた情報を読み出しによる確認を行い、再度情報記録読み出し手段１４により、情報記録媒体１１へ情報の書き込みが行われる。情報記録媒体１１に書き込まれた情報を読み出して確認することなく、再度、情報記録媒体に情報を書き込むようにしてもよい。
【００３５】
ＩＣタグ２は、上記実施例のように箱１に取り付け、箱ごと計量し計量値等の情報を記録したが、魚の個体別に直接取り付けることも可能である。サイズの小さい魚や、箱単位で取引されるような場合には箱にＩＣタグを取り付け、重量を計測したほうが効率的である。なお、箱ごとの計量では、納められる魚の正確な重量を計測するため、予め箱１やＩＣタグ２などの付加部材の重量を除いておくことも必要である。
【００３６】
第２の発明では、インターネットなどのネットワークを介して魚の計量値などの情報や流通過程における情報を情報管理サーバに記録蓄積することにより、生産者から流通業者、小売業者、さらには消費者までが、ＩＣタグに記録された固有ＩＤ情報を介して。それら情報を閲覧することができる。また、ＩＣタグに新たな情報を追記することなく、ＩＣタグには固有ＩＤ情報のみを記録しておき、安価な読み出し専用のＩＣタグを使用することも可能である。
【００３７】
或いは、ＩＣタグと情報管理サーバの両方に同様の情報を記録蓄積し、両者を比較することで、市場から流通、小売の過程でＩＣタグに何らかの情報の改竄やすり替えなど違法行為があったとしても、情報の相違が発見容易にできるため、不正が発覚しやすいため、不正防止効果を有する。
【００３８】
また、計量において、計量値等の情報をＩＣタグに書き込む際に、管理用ＩＣタグの管理情報の認証を必要とすることから、計量時のミスや違法行為の発生を防止することができる。
【００３９】
さらに本発明では、固有ＩＤ情報を予め設定しておくことなく、生産物情報の一つである重量の計量値、日時などの情報をベースにユニークなコードを発生させ、これを固有ＩＤ情報とすることもできる。
【００４０】
本発明は上記した農産物、水産物、加工食品などの生産物以外にも、加工食品の原材料、さらには工業製品、或いはそれらの原材料のトレーザビリティシステムにも展開できるものである。
【図面の簡単な説明】
【００４１】
【図１】本発明の生産物情報登録システムの一実施例である説明図である。
【図２】本発明の生産物情報登録システムのうち、生産地における生産物情報のひとつである重量の計測による情報記録を行う機能ブロック図である。
【図３】図2における生産物情報を記録する際のフローチャートである。
【図４】本発明の生産物情報登録システムの情報記録媒体及び管理情報記録媒体として使用されるＩＣタグの説明図である。
【図５】本発明の生産物情報登録システムで計量され、情報記録媒体に記録される情報を表示する画面を表す説明図である。
【符号の説明】
【００４２】
１            箱
２            ＩＣタグ
３            管理用ＩＣタグ
４            リーダライタ
５            計量手段
６            モニタ
７            送信手段
８            ネットワーク
９            情報管理サーバ
１０、２０    生産物情報生成装置
１１          情報記録媒体
１２          管理情報記録媒体
１３          生産物情報生成手段
１４          情報記録読み出し手段
１５          検知手段
１６          表示手段
１７          送信手段
１８          ネットワーク
１９          情報管理サーバ
２１          ＩＣチップ
２２          アンテナ
３０          計量値
３１          日時
３２          作業者名
３３          パイロットランプ
３４          計量作業履歴
【図１】
2005250532.tif 000003
【図２】
2005250532.tif 000004
【図３】
2005250532.tif 000005
【図４】
2005250532.tif 000006
【図５】
2005250532.tif 000007